(57)【要約】【課題】外観上の見栄えを損なうことのない筆記具を提供すること。【解決手段】軸筒３の後端側に軸方向に沿って形成されたガイドスリット６と、前記ガイドスリットに案内されて前記軸筒内に摺動可能に配置され、前記軸筒内に収容された筆記体が接続されるスライダー８とが備えられる。前記スライダー８には前記ガイドスリット６を介した軸筒３の外側にクリップ部材９が結合されており、前記クリップ部材には、その先端部９ｂを避けた前記スライダー８との結合部寄りの位置に、前記軸筒に向かってクリップ玉９ａが形成されている。前記軸筒３には前記クリップ玉９ａの移動位置に対峙する全域に亘って溝部（逃げ溝）３ａが形成されると共に、前記溝部３ａは前記クリップ部材が後退した状態において、前記クリップ部材の先端部９ｂよりも後方の領域に位置している。【選択図】図１
2013244622.tif 000002
【特許請求の範囲】
【請求項１】
軸筒の後端側に軸方向に沿って形成されたガイドスリットと、前記ガイドスリットに案内されて前記軸筒内に摺動可能に配置され、前記軸筒内に収容された筆記体が接続されるスライダーとを備え、前記スライダーには前記ガイドスリットを介した軸筒の外側にクリップ部材が結合されてなる筆記具であって、
前記クリップ部材には、その先端部を避けた前記スライダーとの結合部寄りの位置に、前記軸筒に向かってクリップ玉が形成され、かつ前記軸筒には前記クリップ玉の移動位置に対峙する全域に亘って溝部が形成されると共に、前記溝部は前記クリップ部材が後退した状態において、前記クリップ部材の先端部よりも後方の領域に位置していることを特徴とする筆記具。
【請求項２】
前記軸筒の後端側にそれぞれ軸方向に沿ってかつ周方向に並ぶようにして複数のガイドスリットが形成され、前記ガイドスリットの各々に案内されて前記軸筒内に摺動可能に配置された複数のスライダーとが備えられ、前記各スライダーにはそれぞれ筆記体が接続されて、前記各筆記体のうちのいずれか１つの筆記体の先端筆記部が前記軸筒に形成された先端口から繰り出されるように構成したことを特徴とする請求項１に記載された筆記具。
【発明の詳細な説明】
【技術分野】
【０００１】
この発明は、軸筒の後端部側にクリップ部材が装着され、前記クリップ部材を軸方向の前方に向かってスライド操作することで、軸筒の先端口より先端筆記部を繰り出すことができる筆記具に関する。
【背景技術】
【０００２】
複数の筆記体を軸筒内に収容し、いずれかの筆記体の先端筆記部を軸筒の先端口より選択的に繰り出すことができる複式筆記具が提供されている。この複式筆記具においては、軸筒の後端部に軸方向に沿って複数のガイドスリットが形成され、これらのガイドスリットに沿って指掛け部が外側に突出して形成されたスライダーが軸筒内に摺動可能に配置されている。そして、前記スライダーの前端部に各筆記体の後端部が嵌合されて取り付けられる。
【０００３】
前記した複式筆記具においては、いずれかのスライダーの指掛け部を前記ガイドスリットに沿って前方にスライド操作することで、前記スライダーに装着された筆記体が軸筒内を前進し、軸筒の先端口から前記筆記体の先端筆記部が繰り出される。
また、いずれかの筆記体の先端筆記部が繰り出されている状態において、他のスライダーの指掛け部を前方に向かってスライド操作することで、先端筆記部が繰り出されている前記筆記体はリターンばねによって後退し、代わって他の筆記体の先端筆記部が軸筒の先端口から繰り出されるように作用する。
【０００４】
前記筆記体としては、主にボールペンリフィールもしくはシャープペンシルユニットが利用され、筆記体として前記シャープペンシルユニットを利用する場合においては、ノック操作により筆記芯を繰り出す操作をし易くするために、一般的に前記スライダーには前記指掛け部に代えて、クリップ部材が一体に取り付けられた構成が採用される。
この場合、前記クリップ部材には、その先端部に玉部（クリップ玉）が軸筒に向かって突出した状態で一体に成形されている。
【０００５】
前記したように先端部に玉部を形成したクリップ部材を用いた場合には、シャープペンシルユニットの先端筆記部部を軸筒の先端口より繰り出す場合において、またはシャープペンシルユニットから筆記芯を繰り出すために、このクリップ部材を軸方向にノック操作をする場合において、前記クリップ玉が軸筒に摺接して軸筒の側面に傷を付けることがあり、筆記具の見栄えを悪くするという問題を抱えることになる。
そこで、前記クリップ玉がスライドする前記軸筒側に、長手方向に沿って凹状の溝部を形成し、これにより前記クリップ玉が軸筒に接触するのを避けるいわゆる逃げ溝を施した複式筆記具が特許文献１に開示されている。
【先行技術文献】
【特許文献】
【０００６】
【特許文献１】特開２００７−５５１５６号公報
【発明の概要】
【発明が解決しようとする課題】
【０００７】
ところで、前記特許文献１に開示された複式筆記具によると、前記した筆記体を軸筒内に後退させた状態にすると、筆記体を支持するスライダーと一体の前記クリップ部材は、軸筒の後端側に退避した状態になされる。
この状態においては、軸筒の側面に長手方向に沿って形成した前記逃げ溝が、前記クリップ部材の先端側に露出して現れる（特許文献１の図２参照。）ことになり、この逃げ溝が外観上の見栄えを損ない、筆記具としての商品価値の低下を招くことになる。
【０００８】
この発明は、前記した観点に基づいてなされたものであり、軸筒に沿ってスライドする前記クリップ玉の移動位置に対峙するように軸筒に形成した前記溝部（逃げ溝）が、前記クリップ部材の先端側に露出して現れるのを防止できるように構成し、外観上の見栄えを損なうことのない筆記具を提供することを課題とするものである。
【課題を解決するための手段】
【０００９】
前記した課題を解決するためになされたこの発明に係る筆記具は、軸筒の後端側に軸方向に沿って形成されたガイドスリットと、前記ガイドスリットに案内されて前記軸筒内に摺動可能に配置され、前記軸筒内に収容された筆記体が接続されるスライダーとを備え、前記スライダーには前記ガイドスリットを介した軸筒の外側にクリップ部材が結合されてなる筆記具であって、前記クリップ部材には、その先端部を避けた前記スライダーとの結合部寄りの位置に、前記軸筒に向かってクリップ玉が形成され、かつ前記軸筒には前記クリップ玉の移動位置に対峙する全域に亘って溝部が形成されると共に、前記溝部は前記クリップ部材が後退した状態において、前記クリップ部材の先端部よりも後方の領域に位置していることを特徴とする。
【００１０】
この場合、前記軸筒の後端側にそれぞれ軸方向に沿ってかつ周方向に並ぶようにして複数のガイドスリットが形成され、前記ガイドスリットの各々に案内されて前記軸筒内に摺動可能に配置された複数のスライダーとが備えられ、前記各スライダーにはそれぞれ筆記体が接続されて、前記各筆記体のうちのいずれか１つの筆記体の先端筆記部が前記軸筒に形成された先端口から繰り出されるように構成された複式筆記具に好適に利用することができる。
【発明の効果】
【００１１】
前記した筆記具によると、軸筒に沿って移動するクリップ部材には、当該クリップ部材の先端部を避けた前記スライダーとの結合部寄りの位置に、前記軸筒に向かってクリップ玉が形成される。したがって、前記クリップ玉の移動位置に対峙する全域に亘って軸筒側に溝部を形成した場合であっても、前記クリップ部材が後退した状態において、前記溝部を前記クリップ部材の先端部よりも後方の領域に位置した状態にすることができる。
【００１２】
これにより、前記クリップ部材を後退させた状態において、軸筒に形成した前記溝部（逃げ溝）が、前記クリップ部材の先端側に露出して現れるのを防止することができ、外観上の見栄えを損なうことのない筆記具を提供することができる。
【図面の簡単な説明】
【００１３】
【図１】この発明に係る筆記具の全体構成を示した外観図および中央断面図である。
【図２】図１に示す筆記具において、クリップ部材を前進させた状態を示す外観図および中央断面図である。
【図３】図１に示す筆記具において、クリップ部材が前進および後退した状態を説明する斜視図である。
【発明を実施するための形態】
【００１４】
この発明を複式筆記具に利用した実施の形態に基づいて説明する。なお、図に示す実施の形態は、一例として１本のシャープペンシルユニットおよび２本のボールペンリフィールを軸筒内に収容した例を想定したものであり、この複式筆記具１の外郭を構成する軸筒は、前軸２および後軸３により構成されている。
すなわち前軸２の後端部外周面に形成された雄ネジに対して、後軸３の前端部内周面に形成された雌ネジが螺合して両者が分離可能に連結されている。
【００１５】
前記前軸２はその先端部が円錐形状に縮径して、先端口４が開口されており、この先端口４より筆記体の先端筆記部、すなわちシャープペンシルユニット、もしくはボールペンリフィールの先端筆記部が択一的に突出できるように構成されている。また、前記前軸２の外周面にはゴムもしくは合成樹脂を素材としたグリップ部５が捲装されるようにして装着されている。
【００１６】
前記後軸３の後端部側面には、それぞれ軸方向に沿ってかつ周方向に等間隔に並ぶようにして、３本のガイドスリット６が後軸３を貫通するようにして形成されている。なお図１および図２に示す断面図においては、１本のガイドスリット６が示されており、このガイドスリット６に、一体成形されたスライダー８およびクリップ部材９の連結部が摺動可能に装着されている。
【００１７】
前記スライダー８は、後軸３内に配置されたガイド部材１１に形成されたガイド孔１２に沿って軸方向に移動できるように配置されており、前記スライダー８の先端部に形成された連結部８ａに連結された短軸部材１４を介して、図示せぬ筆記体の後端部が嵌合されて取り付けられるように構成されている。
【００１８】
なおこの実施の形態においては、前記クリップ部材９と一体に成形されたスライダー８には、前記短軸部材１４を介して図示せぬシャープペンシルユニットが取り付けられる。したがって、前記クリップ部材９を軸方向に前進させることで、シャープペンシルユニットの先端筆記部が、前記前軸２の先端口４から突出されるようになされる。
【００１９】
また、この実施の形態においては、後軸３に形成された他の２本のガイドスリット６には、スライダーに一体成形された指掛け部１６が、後軸３の外周面に突出するようにして摺動可能に装着されている。そして、この指掛け部１６と一体に成形されたスライダーには、図示せぬボールペンリフィールが取り付けられる。
したがって、前記指掛け部１６を軸方向に前進させることで、ボールペンリフィールのボールペンチップが前記前軸２の先端口４から突出されるようになされる。
【００２０】
前記クリップ部材９には、クリップ玉９ａが軸筒（後軸３）に向かってクリップ部材９と一体に成形されており、この実施の形態においては、前記クリップ玉９ａはクリップ部材９の先端部９ｂを避けた前記スライダー８との結合部寄りの位置に形成されている。
加えて前記軸筒には、前記クリップ玉９ａの移動位置に対峙する全域に亘って、凹状の溝部３ａが形成されている。この溝部３ａは、前記クリップ玉９ａが後軸３に接触して、軸筒に傷を付けるのを避けるいわゆる逃げ溝として機能するものである。
【００２１】
なお、図２および図３（Ａ）に示す状態は、前記クリップ部材９を前方にスライド操作して、図示せぬシャープペンシルユニットの先端筆記部を、前記前軸２の先端口４から突出させる場合を示している。
この状態において、前記クリップ部材９をさらに前方にノック操作することにより、前記シャープペンシルユニットから筆記芯を繰り出す操作がなされることになるが、前記ノック操作により、前記クリップ玉９ａがさらに前進する位置まで、後軸３に対して前記溝部３ａが施されている。
【００２２】
また、図１および図３（Ｂ）に示す状態は、前記クリップ部材９を最も後退させた状態を示している。
図に示すとおり前記クリップ部材９におけるクリップ玉９ａの配置位置を、クリップ部材９の先端部を避けて、クリップ部材９の長さ方向の中央部付近に配置した構成にされているので、前記クリップ部材９を最も後退させた状態にしても、前記後軸３に施された逃げ溝３ａがクリップ部材９の先端部９ｂよりも前方に露出することがない。
【００２３】
したがって、後軸３に施された逃げ溝３ａがクリップ部材９の先端９ｂ側に露出して現れるのを防止することができ、外観上の見栄えを損なうことのない筆記具を提供することができる。
【００２４】
なお、以上説明した実施の形態は、軸筒内に複数の筆記体を収容し、いずれかの筆記体の先端筆記部を軸筒の先端口より選択的に繰り出すことができる複式筆記具を例にしているが、この発明は軸筒内に１つの筆記体を収容して、クリップ部材を前方に向かってスライド操作することで、軸筒の先端口より先端筆記部を繰り出すことができる先端出没式の筆記具にも採用することかできる。
【００２５】
また、前記した実施の形態においては、クリップ部材のスライド操作により、シャープペンシルユニットが軸筒の先端口より出没される例を示しているが、これは例えばボールペンリフィールの先端筆記部を出没させる場合においても、同様の作用効果を得ることができる。
【符号の説明】
【００２６】
１      複式筆記具
２      前軸（軸筒）
３      後軸（軸筒）
３ａ    溝部（逃げ溝）
４      先端口
５      グリップ部
６      ガイドスリット
８      スライダー
８ａ    連結部
９      クリップ部材
９ａ    クリップ玉
９ｂ    クリップ先端部
１１    ガイド部材
１２    ガイド孔
１４    短軸部材
１６    指掛け部
【図１】
2013244622.tif 000003
【図２】
2013244622.tif 000004
【図３】
2013244622.tif 000005